(57)【特許請求の範囲】
【請求項１】
度数が連続的に変化するマルチフォーカルコンタクトレンズにおいて、
任意の半径を有する円との接点における曲率半径が前記円の半径と同じ値であり、前記接点から離れるに従って曲率半径が大きくなる曲線を定め、前記曲線上の前記接点から離れた位置に設定された頂点と前記円の中心点とを結ぶ直線を軸に、前記曲線のうち前記頂点と前記接点との間を除いた部分を回転することにより得られる非球面の形状に、少なくとも片面が形成されていることを特徴とするマルチフォーカルコンタクトレンズ。
【請求項２】
前記曲線は、長軸上の点が前記円との接点であり前記接点での曲率半径を前記円の半径と同じ値に保ちながら離心率が変化する楕円と、前記円の中心点を軸に回転する回転直線とを定め、前記接点と前記中心点とを結んだ基準直線と前記回転直線との角度が広がるのに伴い、前記楕円の離心率が大きくなる場合の、前記回転直線と前記楕円との交点の軌跡であることを特徴とする請求項１記載のマルチフォーカルコンタクトレンズ。
【請求項３】
前記頂点の設定される位置は、前記接点と前記円の中心点とを結ぶ直線と、前記頂点と前記中心点とを結ぶ直線との成す角度が５°〜１５°の範囲内の位置であることを特徴とする請求項１記載のマルチフォーカルコンタクトレンズ。
【請求項４】
前記非球面の形状は、レンズの前面に形成されていることを特徴とする請求項１記載のマルチフォーカルコンタクトレンズ。
【発明の詳細な説明】
【０００１】
【産業上の利用分野】
本発明は度数が周辺に向かい連続的に変化するマルチフォーカルコンタクトレンズに関し、特に中心が近用部であるマルチフォーカルコンタクトレンズに関する。
【０００２】
【従来の技術】
コンタクトレンズには、１枚のレンズで遠方視と近方視とを確保するためのマルチフォーカルコンタクトレンズ（多焦点レンズ）がある。一般的な眼鏡用のレンズでは、レンズを上部と下部に分割しそれぞれを近用と遠用とにすることができるが、コンタクトレンズではレンズが回転するため、このように上下に分割することはできない。そこで、中心部がプラス度数のマルチフォーカルコンタクトレンズでは、瞳孔の異なる光条件に適応する能力を活用し、レンズの中心部付近を近用とし、周辺部付近を遠用とすることによりマルチフォーカルとしている。このようなマルチフォーカルコンタクトレンズでは、網膜上では遠方と近方の両方の像が焦点を結ぶため、遠用部と近用部とのバランスを取ることが難しい。そこでマルチフォーカルコンタクトレンズの形状には様々な工夫がなされている。
【０００３】
従来のマルチフォーカルコンタクトレンズでは、遠用部と近用部とのバランスをとるために、前面（装着時に眼球と反対側になる面）における度数を頂部臍点から周辺に向かい累進的に変化させることが多く行われている。プラスレンズの場合には、周辺に向かい曲率半径を大きくする。
【０００４】
このようなマルチフォーカルコンタクトレンズの第１の例として、頂部臍点から周辺に向かい、曲率を連続的に減少させるとともに、瞬時離心率を連続的に規則正しく変化させることにより、前面の形状が定義されるものがある。この場合、曲率導関数が０の点を頂部臍点として規定されている。この頂部臍点での曲率半径と離心率を設定し、ここから周辺に向かい離心率を変化させるための離心率導関数を定義することにより、レンズの面の形状が特定される。このような例として特公平２−５７２９０号公報がある。
【０００５】
また、第２の例としてコンタクトレンズを中心領域のその周辺の同軸隣接領域に分割して、レンズの形状を定義するマルチフォーカルコンタクトレンズもある。この場合、中心領域では球面曲率とし、同軸隣接領域では累進的に曲率を変化させることにより形状が定義される。これにより、遠用部での解像度を向上させることができる。このような例として、特表平３−５０４４１９号公報がある。
【０００６】
【発明が解決しようとする課題】
しかし、上記の第１の例で示したマルチフォーカルコンタクトレンズは、頂部臍点における導関数が「０」であるため、近用部（中心部付近）と遠用部（周辺）とのどちらかで良好な視力を得ようとすると、もう一方の視力が犠牲になるという問題点があった。なお、このように瞬時離心率を用いてレンズの形状が定義されたレンズは、周辺に向かい曲率半径が小さくなるマルチフォーカルコンタクトレンズであるため、中心部における度数がプラスのマルチフォーカルコンタクトレンズに用いることができなかった。
【０００７】
また、上記の第２の例では、領域が２つに分割されているため、中心領域を近用部とし、同軸隣接領域を遠用部とすることにより、近用部と遠用部とで良好な視力が得られるが、近用部と遠用部との領域の境界において像のジャンプが発生してしまうという問題点があった。
【０００８】
本発明はこのような点に鑑みてなされたものであり、像のジャンプを起こさずに近用部と遠用部での良好な視界を確保できるマルチフォーカルコンタクトレンズを提供することを目的とする。
【０００９】
【課題を解決するための手段】
本発明では上記課題を解決するために、度数が連続的に変化するマルチフォーカルコンタクトレンズにおいて、任意の半径を有する円との接点から離れるに従って曲率半径が小さくなり、前記接点における曲率半径が前記円の半径と同じ値である曲線を定め、前記曲線上の前記接点から離れた位置に設定された頂点と前記円の中心点とを結ぶ直線を軸に、前記曲線のうち前記頂点と前記接点との間を除いた部分を回転することにより得られる非球面の形状に、前面が形成されていることを特徴とするマルチフォーカルコンタクトレンズが提供される。
【００１０】
【作用】
上記形状に前面が形成されたマルチフォーカルコンタクトレンズでは、頂部臍点における導関数が「０」ではなく、頂部臍点の周辺では既にある程度の傾斜が設けられている。この頂部臍点の周辺を近用部として良好な視力が得られるように設定し、この頂部臍点付近から周辺部に向かって緩やかに加入度を増大させていくことにより、遠用部においても良好な視力が確保される。
【００１１】
【実施例】
以下、本発明の実施例を図面に基づいて説明する。
図１は本発明のマルチフォーカルコンタクトレンズの断面図である。図示されているのは、度数がプラスのマルチフォーカルコンタクトレンズの断面の片側であり、もう一方の断面形状は直線ＯＢを軸に線対称の形状である。以下に、マルチフォーカルコンタクトレンズ１０の前面１１の形状について説明する。なお、裏面１２は球面である。
【００１２】
まず、中心点Ｏと点Ａ間の距離を半径とする円１を定義する。前面１１を形成する曲線は、点Ａにおける曲率半径が円１の半径と同じ値である。そして、点Ａから遠ざかるに従い曲率半径が連続的に大きくなる。従って、点Ａから離れるにつれて、円１の外側に広がってゆく。この曲線は点Ｃまで続く。点Ｃより先の部分は、視力に影響しない部分である。つまり、点Ａから点Ｃまでが光学部である。
【００１３】
曲線ＡＣ上に点Ｂを設ける。このとき直線ＯＢと直線ＯＡとの成す角度θは、５°〜１５°の範囲内の任意の値に設定される。この曲線ＢＣを、直線ＯＢを軸に回転させることによって得られる面が前面１１となる。
【００１４】
このようにして前面形状が得られるマルチフォーカルコンタクトレンズでは、点Ｂが頂部臍点となり、光は直線ＯＢに平行に入射される。従って、直線ＯＢをＹ軸にした場合には、曲線ＡＣの頂部臍点での導関数の値は「０」ではない。このように、頂部臍点からすでに光軸に対し傾きを有しているため、近用部（頂部臍点付近）で良好な視力を確保しても、遠用部（周辺部分）における視力が犠牲になることがなく、双方において良好な視力が得られる。さらに、前面を定義する曲線ＢＣは連続的に変化しているため、像のジャンプが発生することもない。
【００１５】
曲線ＡＣの求め方の例として、楕円の離心率を用いて曲線ＡＣを求める方法がある。この場合、半径ｒの円を定義する。その円上の１点で外側に接し、その接点での曲率半径Ｒが円の半径ｒに等しい値を保ちながら、離心率が「０」から連続的に大きくなる楕円を考える。
【００１６】
図２は離心率の変化する楕円を示す図である。円２０は半径ｒであり、中心点Ｏの座標は（ｒ，０）である。従って、原点でＹ軸に接している。なお、円２０は、離心率ｅ0 ＝０である。次に、円２０が原点において長軸上の点で接している楕円２１〜２３を考える。この楕円２１〜２３は、原点において曲率半径Ｒ＝ｒを保ちながら、離心率が変化している。各楕円２１〜２３それぞれの離心率をｅ1 〜ｅ3 とすると、０＜ｅ1 ＜ｅ2 ＜ｅ3 の関係がある。このような楕円は、原点における曲率半径Ｒ、離心率ｅから以下の式で導き出すことができる。
【００１７】
【数１】
ｙ2 ＝２Ｒｘ−Ｐｘ2           ・・・・・（１）
この式において、
【００１８】
【数２】
Ｐ＝１−ｅ2                   ・・・・・（２）
である。このようにして得られる楕円２１〜２３の大きさは、離心率ｅが大きくなるに従い円２０の外側に大きくなる。
【００１９】
さらに、中心点Ｏを軸に回転する直線を考える。そして、直線とＸ軸との成す角度が０度から大きくなるのにしたがい楕円の離心率も大きくなる場合の、直線と楕円との交点を求める。
【００２０】
図３は直線と楕円の交点を示す図である。直線３１〜３３は、円２０の中心点Ｏを軸に回転している。そして、直線がＸ軸に平行な場合には、楕円は円２０（離心率ｅ＝０）と一致している。この状態から、直線の回転に従い楕円の離心率が大きくなる。そして、各状態での対応関係は、Ｘ軸に対する角度がα1 の直線３１に対しては、離心率ｅ1 の楕円２１が対応し、Ｘ軸に対する角度がα2 の直線３２に対しては、離心率ｅ2 の楕円２２が対応し、Ｘ軸に対する角度がα3 の直線３３に対しては、離心率ｅ3 の楕円２３が対応する。
【００２１】
ここで、それぞれの状態における楕円と直線との交点Ｑ１〜Ｑ３を求める。この交点を連続で変化する直線と楕円について求める。なお、直線の回転角度に対する楕円の離心率の変化の割合は、ほぼ一定である。この時、連続して変化する交点の座標の軌跡は連続的に曲率半径が大きくなる曲線となる。この交点の座標の軌跡が、図１に示す曲線ＡＣとなる。
【００２２】
図４は楕円の離心率を用いて前面の形状が形成されたマルチフォーカルコンタクトレンズの例を示す図である。これは、裏面１２ａの曲率であるベースカーブＢＣ＝７．８０ｍｍ、パワーＰ＝＋３．００Ｄ、加入度Ａｄｄ＝＋２．００Ｄ、屈折率Ｎ＝１．４４、中心肉圧ＣＴ＝０．１２ｍｍ、光学部径ＯＺ＝８ｍｍのスペックを有するマルチフォーカルコンタクトレンズ１０ａを得るための前面１１ａの形状の例である。
【００２３】
ここで、パワーＰは、レンズの遠用部（点Ｃ1 ）におけるパワーである。加入度Ａｄｄは、点Ａ1 におけるパワーの、パワーＰからの変化分である。つまり、点Ａにおけるパワーは＋５．００Ｄである。
【００２４】
この様なマルチフォーカルコンタクトレンズを得るには、まず曲線を定義する際の基準となる円の曲率半径Ｒ＝７．２４ｍｍとする。さらに、直線Ｏ1 Ａ1 と直線Ｏ1 Ｑ1 との成す角度αが１°増えるごとに、最初は離心率ｅは０．０１５ずつ変化させ、次第に変化率が小さくし、角度αが４０°付近になると角度αが１°増えるごとに離心率は０．００８ずつ変化させる。このようにして得られた曲線のうち、直線Ｏ1 Ａ1 からの角度θ1 ＝８°分カットする。そして、残りの曲線を回転させることにより、前面の非球面が得られる。
【００２５】
このようにして、上記のようなスペックを有するマルチフォーカルコンタクトレンズを得ることができる。このマルチフォーカルコンタクトレンズでは、離心率を変化させることにより得られた曲線の、離心率の小さい方の部分をカットするため、レンズの周辺部で急激に加入度が大きくなることがない。その結果、中心部付近での遠用の視力と、周辺部付近での近用の視力とを共に良好にすることができる。しかも、曲率半径は連続的に変化するため、像がジャンプすることもない。
【００２６】
なお、上記の説明ではレンズの前面を非球面とし裏面を球面としているが、裏面を上記で説明したような非球面とすることもできる。
【００２７】
【発明の効果】
以上説明したように本発明では、任意の半径を有する円との接点における曲率半径が円の半径と同じ値で有り、接点から離れるに従って曲率半径が大きくなる曲線の先端部分を、任意に設定された頂点までカットし、円の中心点と頂点とを結ぶ直線を軸に残りの曲線を回転させることにより得られる非球面により、レンズの前面を形成したため、頂部臍点における導関数が「０」でない前面形状のマルチフォーカルコンタクトレンズが得られる。この結果、中心部から周辺部に向かい緩やかに加入度を減らすことにより、遠用部と近用部との双方において良好な視力を得ることができる。しかも、曲面の曲率半径は連続的に変化しているため、像がジャンプすることもない。
【図面の簡単な説明】
【図１】本発明のマルチフォーカルコンタクトレンズの断面図である。
【図２】離心率の変化する楕円を示す図である。
【図３】直線と楕円の交点を示す図である。
【図４】楕円の離心率を用いて前面の形状が形成されたマルチフォーカルコンタクトレンズの例を示す図である。
【符号の説明】
１  円
１０  マルチフォーカルコンタクトレンズ
１１  前面
１２  裏面
【図１】
0003681428.tif 000002
【図２】
0003681428.tif 000003
【図３】
0003681428.tif 000004
【図４】
0003681428.tif 000005